(57)【要約】【課題】ウェブを吸着する吸着手段に接続された吸引ホースの耐久寿命を延長することである。【解決手段】ウェブ３を吸着するサクションユニット１１の押圧体１５に接続された吸引ホース１６に、押圧体１５の進退移動を許容するように、外管２１ａと内管２１ｂをスライド可能に嵌合したスライド式伸縮部を設けることにより、スプライス機構４でのウェブ継ぎ時に押圧体１５が進退しても、吸引ホース１６に変形が生じないようにし、吸引ホース１６の耐久寿命を著しく延長できるようにした。【選択図】  図２
2004182353.tif 000002
【特許請求の範囲】
【請求項１】
一方の巻き出し軸から巻き出されたウェブの後端と、他方の巻き出し軸から巻き出されたウェブの先端とを、吸引ホースに接続されて対向配置された一対の吸着手段にそれぞれ吸着して、これらの吸着手段の少なくとも一方を進退移動させ、前記吸着された両ウェブの後端と先端とを、吸着手段間で押圧した後、この押圧を解除して重ね継ぐウェブ継ぎ装置において、前記進退移動する吸着手段と接続された吸引ホースに、前記吸着手段の進退移動を許容するスライド式伸縮部を設けたことを特徴とするウェブ継ぎ装置。
【発明の詳細な説明】
【０００１】
【発明の属する技術分野】
この発明は、一方の巻き出し軸から巻き出されたウェブの後端に、他方の巻き出し軸から巻き出されたウェブの先端を重ね継ぐウェブ継ぎ装置に関するものである。
【０００２】
【従来の技術】
一方の巻き出し軸から巻き出されたウェブの後端に、他方の巻き出し軸から巻き出されたウェブの先端を継いでラインに供給するウェブ継ぎ装置では、ウェブの後端と先端とを対向配置された一対の吸着手段に吸着して、一方または両方の吸着手段を前進させ、吸着された両ウェブの後端と先端とを吸着手段間で押圧した後、この押圧を解除して重ね継ぐものが多く採用されている。重ね継ぎには接着等の手段が用いられる。
【０００３】
前記吸着手段としては、例えば、特公平１−５７０１５号公報に記載されたもののように、ウェブの全幅に渡って延びるように対向配置した一対の中空押圧体の前面に、それぞれウェブを吸着する吸引孔を設け、各押圧体をフレキシブルなホースで吸引ポンプに接続して、シリンダで進退させるようにしたものが採用されている。
【０００４】
【発明が解決しようとする課題】
上述した従来のウェブ継ぎ装置は、吸着手段の押圧体に接続されたフレキシブルな吸引ホースが、ウェブの重ね継ぎ作業に伴う押圧体の進退毎に、引張や撓み等の変形を生じるので、ゴム等で形成された吸引ホースの耐久寿命が短くなる問題がある。
【０００５】
そこで、この発明の課題は、ウェブを吸着する吸着手段に接続された吸引ホースの耐久寿命を延長することである。
【０００６】
【課題を解決するための手段】
上記の課題を解決するために、この発明は、一方の巻き出し軸から巻き出されたウェブの後端と、他方の巻き出し軸から巻き出されたウェブの先端とを、吸引ホースに接続されて対向配置された一対の吸着手段にそれぞれ吸着して、これらの吸着手段の少なくとも一方を進退移動させ、前記吸着された両ウェブの後端と先端とを、吸着手段間で押圧した後、この押圧を解除して重ね継ぐウェブ継ぎ装置において、前記進退移動する吸着手段と接続された吸引ホースに、前記吸着手段の進退移動を許容するスライド式伸縮部を設けた構成を採用した。
【０００７】
すなわち、吸着手段に接続された吸引ホースに、吸着手段の進退移動を許容するスライド式伸縮部を設けることにより、吸着手段が進退しても吸引ホースに変形が生じないようにし、吸引ホースの耐久寿命を延長できるようにした。
【０００８】
【発明の実施の形態】
以下、図１乃至図４に基づき、この発明の実施形態を説明する。このウェブ継ぎ装置は、図１に示すように、ミルロールスタンド１の一方の巻き出し軸２から巻き出された先行ウェブ３の後端に、他方の巻き出し軸２から次に巻き出される後続ウェブ３の先端を継ぐスプライス機構４と、スプライス機構４から送り出されるウェブ３を、固定ロール５と移動ロール６間に複数条に巻き掛けて、そのアキュムレート長さを調節可能に溜め込むアキュムレート機構７とを備え、アキュムレート機構７に溜め込まれたウェブ３は、張力検出ロール８と繰り出しロール９を介して後続のラインに供給されるようになっている。
【０００９】
前記スプライス機構４は、アキュムレート機構７にウェブ３を送り出すスプライスロール１０と、先行ウェブ３の後端または後続ウェブ３の先端を吸着する吸着手段としてのサクションユニット１１と、先行ウェブ３の後端を切断するカッター１２と、巻き出し軸２から巻き出されるウェブ３を案内し、その後端の切断時にウェブ３をクランプするクランプロール１３とで基本的に構成され、これらが２つの巻き出し軸２に対応させて、左右一対で進退可能に対向配置されている。ウェブ継ぎ時には、スプライスロール１０からアキュムレート機構７へのウェブ３の送り出しが減速、停止される。
【００１０】
前記アキュムレート機構７は、３本の固定ロール５と２本の移動ロール６を有し、これらにウェブ３が４条に巻き掛けられている。２本の移動ロール６は、固定ロール５側へ向けて直線往復駆動される往復移動ユニット１４に取り付けられている。後続のラインが定速で運転され、ウェブ継ぎ時にスプライス機構４からのウェブ３の送り出し速度が減速、停止されるときに、往復移動ユニット１４が進退され、ウェブ３のアキュムレート長さが調節される。
【００１１】
図２および図３に示すように、前記スプライス機構４の各サクションユニット１１は、ウェブ３の全幅に渡って延びる中空パイプ状の押圧体１５を吸引ホース１６で吸引ポンプ（図示省略）に接続するとともに、その前面にゴムパッド１７を貼着してウェブ３を吸着する多数の吸引孔１８を設けたものであり、押圧体１５は、これと平行に設けられたフレーム１９の両端部に取り付けられた２つのシリンダ２０ａにより進退され、他方のサクションユニット１１の押圧体１５に押圧されるようになっている。押圧体１５同士をウェブ３の全幅に渡って満遍なく押圧できるように、フレーム１９の中央部には補助シリンダ２０ｂも取り付けられている。
【００１２】
前記吸引ホース１６の押圧体１５への接続部には、外管２１ａと内管２１ｂをスライド可能に嵌合したスライド式伸縮部が設けられている。外管２１ａと内管２１ｂとの間はシール部材２２でシールされ、外管２１ａ側が押圧体１５に固定され、内管２１ｂ側がフレーム１９側に固定されて、吸引ホース１６に接続されている。
【００１３】
図２に示したように、定常時には、スプライス機構４の左右のスプライスロール１０、サクションユニット１１、カッター１２およびクランプロール１３は、いずれも後退位置にあり、一方のサクションユニット１１に後続ウェブ３の先端が吸着されている。後続ウェブ３の先端には、両面接着テープ２３が予め貼着されている。
【００１４】
ウェブ継ぎ時には、先行ウェブ３の送り出し速度が減速されるとともに、左右のスプライスロール１０とクランプロール１３とが互いに接近して押圧され、先行ウェブ３の送り出しが停止すると、一方（先行ウェブ３側）のカッター１２が前進して、先行ウェブ３の後端が切断される。こののち、図４に示すように、後続ウェブ３の先端を吸着したサクションユニット１１の押圧体１５が前進して、先行ウェブ３の後端が吸着された他方の押圧体１５に押圧され、先行ウェブ３の後端と後続ウェブ３の先端が両面接着テープ２３により重ね継ぎされる。重ね継ぎ作業が終了すると、両サクションユニット１１の押圧体１５が後退し、ウェブ３の送り出し速度が再び加速されるとともに、左右のスプライスロール１０とクランプロール１３も後退して、図２に示した定常時の状態に戻される。
【００１５】
前記シリンダ２０ａでウェブ継ぎ時に押圧体１５が進退されるときは、押圧体１５に固定された外管２１ａが、内管２１ｂの外側でスライドすることにより、前方に伸縮されて押圧体１５の進退を許容し、フレーム１９に固定された吸引ホース１６は変形しない。したがって、吸引ホース１６の耐久寿命を著しく延長することができる。
【００１６】
上述した実施形態では、左右両側のサクションユニットを進退させるものとしたが、一方のサクションユニットのみを進退させてもよく、この場合は、進退させる側のサクションユニットの吸引ホースのみにスライド式伸縮部を設ければよい。
【００１７】
【発明の効果】
以上のように、この発明のウェブ継ぎ装置は、吸着手段に接続された吸引ホースに、吸着手段の進退移動を許容するスライド式伸縮部を設け、頻繁にウェブ継ぎ時に吸着手段が進退しても、吸引ホースに変形が生じないようにしたので、吸引ホースの耐久寿命を著しく延長することができる。
【図面の簡単な説明】
【図１】実施形態のウェブ継ぎ装置を示す概略正面図
【図２】図１のスプライス機構を示す正面断面図
【図３】図２のサクションユニットを示す一部切欠き平面図
【図４】図２のスプライス機構の動きを説明する正面断面図
【符号の説明】
１  ミルロールスタンド
２  巻き出し軸
３  ウェブ
４  スプライス機構
５  固定ロール
６  移動ロール
７  アキュムレート機構
８  張力検出ロール
９  繰り出しロール
１０  スプライスロール
１１  サクションユニット
１２  カッター
１３  クランプロール
１４  往復移動ユニット
１５  押圧体
１６  吸引ホース
１７  ゴムパッド
１８  吸引孔
１９  フレーム
２０ａ、２０ｂ  シリンダ
２１ａ、２１ｂ  管
２２  シール部材
２３  両面接着テープ
【図１】
2004182353.tif 000003
【図２】
2004182353.tif 000004
【図３】
2004182353.tif 000005
【図４】
2004182353.tif 000006